(57)【要約】      （修正有）【課題】非常に簡単な構成でフェンスユニットを角度調節可能に連結できるとともに、部品等を一体化して出荷、販売等することのできる園芸用フェンス及びフェンスユニットを提供する。【解決手段】枠部２と、この枠部内に一体的に形成された格子３と、枠部の下部から延出して地面に差し入れられる杭部４とを備える複数のフェンスユニット１を連結して構成される園芸用フェンスであって、各枠部の両側縁部に係合部９を設けるとともに、係合部に係合させられる一対の係合片が樹脂ヒンジ部を介して形成された連結部材５を用いて、隣接するフェンスユニットが角度調節可能に連結されて構成されている。【選択図】図２
0003122678.tif 000002
【実用新案登録請求の範囲】
【請求項１】
枠部と、この枠部内に一体的に形成された格子と、上記枠部の下部から延出して地面に差し入れられる杭部とを備える複数のフェンスユニットを連結して構成される園芸用フェンスであって、
上記各枠部の両側縁部に係合部を設けるとともに、
上記係合部に係合させられる一対の係合片が樹脂ヒンジ部を介して形成された連結部材を用いて、隣接する上記フェンスユニットが角度調節可能に連結されている、園芸用フェンス。
【請求項２】
上記枠部を略Ｕ字状断面に形成するとともに、このＵ字内面部に上記係合部を設ける一方、
上記連結部材は、上記一対の係合片が樹脂ヒンジ部を介して一体成形されている、請求項１に記載の園芸用フェンス。
【請求項３】
上記杭部は、上記枠部材の両側部に設けた連結穴部に、別途形成した杭部材を嵌合させることにより形成されている、請求項１又は請求項２のいずれかに記載の園芸用フェンス。
【請求項４】
枠部と、この枠部内に一体的に形成された格子と、上記枠部に設けた連結穴部に連結される杭部材と、隣接するフェンスユニットを連結する連結部材とを備えるフェンスユニットであって、
上記連結部材を、一対の係合片とこれら係合片を一体的に連結する樹脂ヒンジ部とを備えて形成するとともに、
上記枠部の両側縁に、上記係合片を係合できる係合部を設けた、フェンスユニット。
【請求項５】
上記枠部を断面略Ｕ字状に形成するとともに、
上記枠部内に、上記杭部材を収容保持できる杭部材収容部を設けた、請求項４に記載のフェンスユニット。
【請求項６】
上記枠部のＵ字内壁部に上記係合部を形成し、
隣接するフェンスユニットの上記枠部を挟むようにして上記一対の係合片を上記係合部にそれぞれ係合させることにより、複数のフェンスユニットを連結できるとともに、
上記連結部材の不使用時には、一方の係合片を上記係合部に係合させることにより、上記連結部材を上記枠内に収容できるように構成した、請求項４又は請求項５のいずれかに記載のフェンスユニット。
【考案の詳細な説明】
【技術分野】
【０００１】
本願発明は、園芸用フェンス及びフェンスユニットに関する。詳しくは、複数のフェンスユニットを角度調節可能に連結して園芸用フェンスを構成できるとともに、付属部品を枠部内に一体的に収容して販売等を行える園芸用フェンス及びフェンスユニットに関するものである。
【背景技術】
【０００２】
花壇の形状や大きさに応じて種々の園芸用フェンスが設けられる。たとえば、特許文献１に記載されている園芸用フェンスは、合成樹脂からなる複数本の単位フェンス片がその幅方向に連結されて構成され、連結された個々の単位フェンス片同士がその連結部において屈曲可能かつ分離可能に構成されている。
【０００３】
複数の単位フェンスを屈曲可能に連結することにより、花壇の形状や大きさに応じた園芸用フェンスを構成することができる。
【０００４】
【特許文献１】特介２００２−３４５３３５
【考案の開示】
【考案が解決しようとする課題】
【０００５】
上記特許文献１に記載されている園芸用フェンスでは、隣接する各単位フェンスの側部に、嵌合部と被嵌合部とを設け、これら嵌合部と被嵌合部とを軸体を介して回動可能に連結して構成されている。
【０００６】
しかしながら、上記嵌合部及び被嵌合部を軸体を介して連結する構造であるため、これら嵌合部及び被嵌合部を上記単位フェンスと一体的な樹脂成形品で形成するには、非常に複雑な金型を必要とする。このため、コストが増大する。
【０００７】
また、上記園芸用フェンスでは、地面に差し入れる杭部を備える単位フェンスと、杭部を備えない単位フェンスとが別体として形成されている。このため、顧客は２つの単位フェンスを購入する必要が生じる。さらに、これら２種類の単位フェンスを製造するための金型等も２組必要になる。
【０００８】
さらに、上記２種類の単位フェンスを販売するために、製造工程や出荷作業等を区別する必要が生じ、製品管理が非常に面倒になる。
【０００９】
本願考案は、非常に簡単な構成でフェンスユニットを角度調節可能に連結できるとともに、部品等を一体化して出荷、販売等することのできる園芸用フェンス及びフェンスユニットを提供するものである。
【課題を解決するための手段】
【００１０】
本願考案は、枠部と、この枠部内に一体的に形成された格子と、上記枠部の下部から延出して地面に差し入れられる杭部とを備える複数のフェンスユニットを連結して構成される園芸用フェンスであって、上記各枠部の両側縁部に係合部を設けるとともに、上記係合部に係合させられる一対の係合片が樹脂ヒンジ部を介して形成された連結部材を用いて、隣接する上記フェンスユニットが角度調節可能に連結されて構成されている。
【００１１】
本願考案では、各フェンスユニットに杭部が設けられており、一つのフェンスユニットのみでも地面に自立させて設置できる。したがって、顧客は複数種類のフェンスユニットを買い求める必要はない。
【００１２】
また、複数のフェンスユニットを連結する場合には、樹脂ヒンジ部（インテグラルヒンジ）を備える連結部材が用いられる。樹脂ヒンジ部は、屈曲部の厚さを薄く設定して材料の変形を利用して構成されるヒンジである。したがって、軸部材等を必要とすることなく、従来のヒンジ構造に比べて非常に簡単な構造で、複数のフェンスユニットを角度調節して設置することができる。
【００１３】
請求項２に記載した考案は、上記枠部を略Ｕ字状断面に形成するとともに、このＵ字内面部に上記係合部を設ける一方、上記連結部材は、上記一対の係合片が樹脂ヒンジ部を介して一体成形されているものである。
【００１４】
各フェンスユニットの枠部を略Ｕ字状断面に形成することにより、軽量化を図ることができるとともに、フェンスユニット全体に高い強度をもたせることができる。また、上記Ｕ字内壁部に上記係合部を形成することにより、上記枠部から上記係合片を突出させることなく形成することができる。このため、非常に見栄えのよいヒンジ構造を形成することができる。
【００１５】
また、複数のフェンスユニットを樹脂ヒンジ部を有する連結部材を介して接続することより、複雑なヒンジ構造を設けることなく、角度調整して設置することができる。しかも、一対の係合片を樹脂ヒンジ部を介して一体成形した連結部材を採用することにより、上記連結部材を製作するための金型も極めて容易に製作することができる。
【００１６】
本願の請求項３に記載した考案は、上記杭部が、上記枠部材の両側部に設けた連結穴部に、別途形成した杭部材を嵌合させることにより形成されているものである。
【００１７】
上記杭部材を上記枠部と別途に形成し、上記枠部に組み付けるように構成することにより、１種類のフェンスユニットでも自立させて使用することが可能となる。また、複数のフェンスユニットを連結する場合でも、必要に応じて杭部を設けることができる。
【００１８】
また、杭部が枠部に一体成形されないため、枠部自体では突出する部分がなくなり、梱包、配送作業等を容易に行うこともできる。
【００１９】
本願の請求項４に記載した発明は、枠部と、この枠部内に一体的に形成された格子と、上記枠部に設けた連結穴部に連結される杭部材と、隣接するフェンスユニットを連結する連結部材とを備えるフェンスユニットであって、上記連結部材を、一対の係合片とこれら係合片を一体的に連結する樹脂ヒンジ部とを備えて形成するとともに、上記枠部の両側縁に、上記係合片が係合させられる係合部を設けて構成したものである。
【００２０】
本請求項に記載した考案は、販売単位としてのフェンスユニットに係るものであり、顧客は複数の上記フェンスユニットを購買して連結し、所望の形態の園芸用フェンスを構成できる。特に、本願考案では、上記１種類のフェンスユニットを複数連結することにより、所望の形態のフェンスを構成できる。
【００２１】
請求項５に記載した発明は、上記枠部を断面略Ｕ字状に形成するとともに、上記枠部内に、上記杭部材を収容保持できる杭部材収容部を設けたものである。
【００２２】
本願考案は、フェンスユニットの枠部を断面略Ｕ字状に形成し、杭部材を上記枠部のＵ字内側に収容して、これらを一体的に出荷し、また販売等を行えるようにしたものである。
【００２３】
上記構成を採用することにより、杭部材用の包装資材等が不要になる。また、複数の部品を一体的に取り扱うことができるため、工場出荷段階、配送段階及び販売段階等において、取り扱い性が格段に高まる。また、販売時等に付属品を紛失する恐れもなくなる。
【００２４】
本願の請求項６に記載した発明は、上記枠部のＵ字内壁部に上記係合部を形成し、隣接するフェンスユニットの上記枠部を挟むようにして上記一対の係合片を上記係合部にそれぞれ係合させることにより、複数のフェンスユニットを連結できるように構成したものである。また、上記連結部材の不使用時には、一方の係合片を上記係合部に係合させることにより、上記連結部材を上記枠内に収容できるように構成している。
【００２５】
連結部材を板状に形成することにより、金型等の構造が簡単になり、ヒンジ部分を極めて容易に製造することが可能となる。
【００２６】
また、上記連結部材を、上記係合部を利用して枠内に収容できるため、上記連結部材の収容構造を別途形成する必要がなくなる。また、上記連結部材の包装資材が不要となる。さらに、連結部材が、上記係合部に収容された状態で販売されるため、連結部材を紛失する恐れがなくなり、また、購買者が複数のフェンスユニットを組み付ける作業も容易になる。
【考案を実施するための最良の形態】
【００２７】
以下、本願考案の実施例を図に基づいて具体的に説明する。
【００２８】
図１は、本願考案に係るフェンスユニットの正面図であり、図２は背面図である。フェンスユニット１は、長方形状の枠部２と、上記枠部２内に形成された格子３と、地面に差し入れられる杭部４とを備えて形成されている。
【００２９】
上記フェンスユニット１は、上記の形態のままでも上記杭部４を地面に差し入れて自立させることができるため、フェンスユニット単体でも園芸用フェンスとして使用することができる。また、複数のフェンスユニットを連結できるように、上記側部枠２ｂの２箇所に連結部材５を装着できるように構成されている。
【００３０】
上記枠部２は、上下枠２ａ、２ａと側部枠２ｂ，２ｂとから長方形状に形成されている。枠部２の内側には菱形開口を形成する斜め格子３が設けられており、上記枠部２と上記格子３とが樹脂によって一体成形されている。上記枠部２は、断面略Ｕ字状に形成されており、所要の強度を確保しつつ軽量化を図れるように形成されている。
【００３１】
図３、図４及び図６に示すように、上記杭部４は、別途成形した杭部材６を、側部枠２ｂの下方に設けた連結穴部７に嵌合させることにより上記枠部２と一体化される。図４に示すように、上記杭部材６は、上記連結穴７に嵌合させられる連結部６ａと、上記連結部６ａから下方に延出する断面略十字状の杭体６ｂとを備えて形成されている。図６に示すように、上記連結穴７は、上記側部枠２ｂの下方のＵ字開口部に蓋部１６を設けることにより形成されており、上記連結部６ａがＵ字状の内壁部に沿って嵌合保持される。
【００３２】
図３に示すように、上記側枠部２ｂの２箇所に、上記連結部材５を装着する係合部９が形成されている。上記係合部９は、図３及び図７に示すように側枠部２ｂの外壁部１０の内面から、所定隙間１１をあけて係止壁部１２を、上記側枠部２ｂと一体形成することにより設けられている。
【００３３】
上記連結部材５は、図５に示すように、上記隙間１１に係合させられる一対の係合片１３，１３と、これら係合片１３，１３をつなぐ樹脂ヒンジ部１４とを備える断面略コ字状に形成されている。上記係合片１３，１３の厚さは、上記隙間１１に対応して設定される一方、上記樹脂ヒンジ部１４は、上記係合片１３，１３より小さな厚さで形成されている。
【００３４】
図７及び図８に示すように、上記連結部材５の上記係合片１３，１３を、隣接するフェンスユニットの上記係合部９，９に掛け渡し状に係合させることにより、複数のフェンスユニットを一連に連結することができる。上記樹脂ヒンジ部１４は、厚さが小さく設定されているため、図９に示すように、隣接するフェンスユニットの連結角度を容易に変更することができる。これにより、複数のフェンスユニットを所望の角度で連結して地面に設置することができる。
【００３５】
図１０から図１３に、上記杭部材６と連結部材５とを、枠部２の内部に収容した状態を示す。
【００３６】
図１０及び図１１に示すように、本実施の形態では、工場出荷時や店頭での販売時等における上記杭部材６を使用しない場合に、上記杭部材６を収容できる杭部材収容部２０を下方枠部内に設けている。
【００３７】
図１１に示すように、上記杭部材６の連結部６ａは、上記上下枠部２ａのＵ字内面に沿う外面形態で形成されるとともに、上記杭体６ｂは、上記枠部２ａ内に収容できる十字状の断面形態に形成されている。このため、上記枠部２ａの内側に設けた上記杭部材収容部２０に収まりよく収容することができる。なお、本実施の形態では、下方枠部に杭部材６を収容したが、上方枠部に収容することもできる。図１０及び図１１において、符号１５で示す部分は、上記杭部材６の脱落を防止するための係止突起である。なお、上記枠部２は全体が樹脂で略Ｕ字状に形成されているため、Ｕ字開口部を広げるように弾性変形させることにより上記杭部材６を上記枠部２に対して容易に着脱することができる。
【００３８】
図１０及び図１２に、上記連結部材５を枠部２内に収容した状態を示す。連結部材５は、一方の係合片１３を上記係合部９に嵌合させた状態で、上記係止壁部１２を跨ぐようにして収容保持されている。上記構成を採用することにより、上記連結部材５を枠部２内に収容できるとともに、収容構造を別途形成する必要もなくなる。
【００３９】
上記杭部材６と上記連結部材５とを上記枠部２内に収容した状態で、工場から出荷され、搬送され、店頭で販売される。このため、これら部材の包装資材が不要となる。また、商品の取り扱い性が格段に高まる。さらに、上記杭部材６及び上記連結部材５を紛失する恐れもなくなる。
【００４０】
本願考案は、上述の実施の形態に限定されることはない。実施の形態では、下方の枠部２ｂに杭部材６を収容する杭部材収容部２０を設けたが、上方の枠部に設けることもできる。
【００４１】
また、本実施の形態では、枠部を長方形状に形成したが、円弧状等他の形状に形成することもできる。
【図面の簡単な説明】
【００４２】
【図１】フェンスユニットの正面図である。
【図２】図１に示すフェンスユニットの背面図である。
【図３】連結部材及び杭部材を連結する構造を示す背面図である。
【図４】杭部材の全体構造を示す斜視図である。
【図５】連結部材の全体構造を示す斜視図である。
【図６】杭部材の連結状態を示す断面図であり、図８におけるＶＩ−ＶＩ線に沿う断面図である。
【図７】連結部材を使用して隣接するフェンスユニットを連結した状態を示す断面図であり、図８におけるＶＩＩ−ＶＩＩ線に沿う断面図である。
【図８】複数のフェンスユニットを連結した状態を示す正面図である。
【図９】隣接するフェンスユニットの角度を調節した状態を示す図であり、図７に相当する断面図である。
【図１０】杭部材と連結部材とを枠部に収容した状態を示す背面図である。
【図１１】図１０におけるＸＩ−ＸＩ線に沿う断面図である。
【図１２】図１０におけるＸＩＩ−ＸＩＩ線に沿う断面図である。
【符号の説明】
【００４３】
１  フェンスユニット
２  枠部
３  格子
４  杭部
５  連結部材
９  係合部
１３  係合片
１４  樹脂ヒンジ部
【図１】
0003122678.tif 000003
【図２】
0003122678.tif 000004
【図３】
0003122678.tif 000005
【図４】
0003122678.tif 000006
【図５】
0003122678.tif 000007
【図６】
0003122678.tif 000008
【図７】
0003122678.tif 000009
【図８】
0003122678.tif 000010
【図９】
0003122678.tif 000011
【図１０】
0003122678.tif 000012
【図１１】
0003122678.tif 000013
【図１２】
0003122678.tif 000014